(57)【要約】【課題】注射針やメスによる処置者の手への突き刺し事故を完全に防止でき、指の触感が鈍ることがなく、しかも構造が簡単で安価に提供できるハンドプロテクターを得る。【解決手段】手首の肘よりの部分から指先までの手の甲の側を覆い、硬質合成樹脂板または金属板からなるハンドプロテクター１であって、このハンドプロテクター１が、手首の肘よりの部分から手首を覆うとともに手首近傍に取り付けられる手首カバー２と、手の甲および人差し指から小指までを覆うとともにこれら指の少なくとも１つ、またはこれら指全体に取り付けられる甲カバー３と、手の甲の一部および親指を覆うとともに親指に取り付けられる親指カバー４とから構成され、手首カバー２に対して甲カバー３および親指カバー４とが可動可能に連結されている。【選択図】図１
2006028647.tif 000002
【特許請求の範囲】
【請求項１】
手首の肘よりの部分から指先までの手の甲の側を覆い、硬質合成樹脂板または金属板からなるハンドプロテクターであって、
このハンドプロテクターは、手首の肘よりの部分から手首を覆うとともに手首近傍に取り付けられる手首カバーと、手の甲および人差し指から小指までを覆うとともにこれら指の少なくとも１つ、またはこれら指全体に取り付けられる甲カバーと、手の甲の一部および親指を覆うとともに親指に取り付けられる親指カバーとから構成され、手首カバーに対して甲カバーおよび親指カバーとが可動可能に連結されていることを特徴とするハンドプロテクター。
【請求項２】
上記各カバーの一部が相互に重なり合っていることを特徴とする請求項１記載のハンドプロテクター。
【請求項３】
上記甲カバーが、先端カバーと基端カバーとから構成され、両者が可動可能に連結されていることを特徴とする請求項１または２記載のハンドプロテクター。
【発明の詳細な説明】
【技術分野】
【０００１】
この発明は、犬、ウサギ、マウスなどの実験動物や患畜に注射や手術などの処置を施す際に、処置者の手を保護する用途などに用いられるハンドプロテクターに関する。
【背景技術】
【０００２】
従来より、種々のスポーツや作業を行う際に手の負傷を回避するための保護手袋が提案されている。
例えば、特開２０００−８２１０号公報には、山仕事の際に鉈による手の負傷を防止するための保護具が開示されている。この保護具は、手袋状の保護手袋と、この保護手袋の甲および手首の部分に取り付けられて、これらの部位を保護する保護カバーとから構成されている。保護手袋は、アラミド繊維と綿との編物からなり、保護カバーは、アラミド繊維からなる表生地と裏生地との間隙にアラミド繊維製不織布またはアルミニウム合金を介在させたものからなっている。
【０００３】
しかしながら、この保護具にあっては、基本的に布製品であるので、注射針等の突き刺しを完全に防止することができない。指先が保護カバーで覆われていないので、指先を保護できない。指全体が保護手袋で覆われているので、指の触感が鈍る。構造が複雑で製造に手間がかかるなどの欠点がある。
【０００４】
また、特開２００２−１２９４１７号公報に開示された防護用手袋は、手袋状の基材と、この基材の甲の側に配置される補強部材とからなるもので、基材にはアラミド繊維の織物や編物が用いられ、補強部材には平板化されたコイルボーン形状の硬鋼線が用いられ、これを表面層を介して基材に縫い付けた構造となっている。
【０００５】
この防護用手袋では、やはり布製品であるため、注射針等の突き刺しを完全に防止することができない。指全体が基材で覆われているので、指の触感が鈍る。構造が複雑で製造に手間がかかるなどの不具合がある。
【特許文献１】特開２０００−８２１０号公報
【特許文献２】特開２００２−１２９４１７号公報
【発明の開示】
【発明が解決しようとする課題】
【０００６】
よって、本発明における課題は、注射針やメスによる処置者の手への突き刺し事故を完全に防止でき、指の触感が鈍ることがなく、しかも構造が簡単で安価に提供できるハンドプロテクターを得ることにある。
【課題を解決するための手段】
【０００７】
かかる課題を解決するため、
請求項１にかかる発明は、手首の肘よりの部分から指先までの手の甲の側を覆い、硬質合成樹脂板または金属板からなるハンドプロテクターであって、
このハンドプロテクターは、手首の肘よりの部分から手首を覆うとともに手首近傍に取り付けられる手首カバーと、手の甲および人差し指から小指までを覆うとともにこれら指の少なくとも１つ、またはこれら指全体に取り付けられる甲カバーと、手の甲の一部および親指を覆うとともに親指に取り付けられる親指カバーとから構成され、手首カバーに対して甲カバーおよび親指カバーとが可動可能に連結されていることを特徴とするハンドプロテクターである。
【０００８】
請求項２にかかる発明は、上記各カバーの一部が相互に重なり合っていることを特徴とする請求項１記載のハンドプロテクターである。
請求項３にかかる発明は、上記甲カバーが、先端カバーと基端カバーとから構成され、両者が可動可能に連結されていることを特徴とする請求項１記載のハンドプロテクターである。
【発明の効果】
【０００９】
本発明のハンドプロテクターにあっては、手首カバー、甲カバー、親指カバーが硬質の合成樹脂板あるいは金属板から作られ、かつ各カバーが手首、手を完全に覆うことができるようになっているので、実験動物や患畜に対して注射や手術などの処置を行う際に、動物が暴れて、誤って注射針やメスなどが手に突き刺さる事故や動物による噛みつき事故を防止することができる。
【００１０】
また、手のひらは露出した状態であるので、注射器などの機材を掴む際に直接これらを掴むことが不自由なく確実に行え、従来の手袋のように触感が鈍ることがない。
さらに、手首カバー、甲カバーおよび親指カバーが相互に可動可能に取り付けられているため、これを手に装着しても、手の甲および各指を自由に動かすことができる。このため、このハンドプロテクターを手に装着しても実験動物や患畜を取り押さえることが不自由になることはない。
【発明を実施するための最良の形態】
【００１１】
以下、図面を参照して、本発明のハンドプロテクターの一例を説明する。
図１ないし図５は、本発明のハンドプロテクターの一例を示すもので、この例では左手に装着するものを示しているが、右手に装着するものは面対称となっている点が異なるのみでそれ以外の部分は同一である。
【００１２】
この例のハンドプロテクター１は、手首カバー２と甲カバー３と親指カバー４とから概略構成されている。
手首カバー２は、着用者の手首の肘寄りの部分から手首までの外側の部分を覆う半円筒状の部材である。この手首カバー２の先端部分の平面形状は、手首を反らせる際にその動作を妨害しないよう、基端側に軽く凹んだ円弧状となっている。
【００１３】
また、この手首カバー２は、ポリエチレン、ポリプロピレン、塩化ビニル樹脂、ポリカーボネイトなどの硬質の合成樹脂からなる厚さ０．５〜２ｍｍ程度の板材あるいはアルミニウム合金、マグネシウム合金などの軽量金属からなる厚さ０．２〜１ｍｍ程度の板材からなるものである。
【００１４】
手首カバー２が硬質合成樹脂の板材からなるものでは、これら合成樹脂を射出成形して形成したものやこれら合成樹脂の板材を真空成形、圧空成形などの熱成形したものが用いられる。
また、軽量金属の板材からなるものでは、これら軽量金属の板材をプレス加工したものなどが用いられる。
【００１５】
この手首カバー２の外周面には、この手首カバー２を腕の手首近傍に装着するためのマジックテープ（登録商標）などの第１の装着具２１が取り付けられている。
この手首カバー２の先端側には甲カバー３が可動可能に取り付けられている。
【００１６】
この甲カバー３は、手の甲の部分と人差し指、中指、薬指および小指とをその指先まで完全に覆う半円筒状の部材であって、その指先を覆う先端部分は内側に折り曲げられて、指先が甲カバー３から外側に出ないようになっている。また、甲カバー３の先端部分の平面形状は指先の形状に沿うなだらかな円弧状となっている。さらに、処置する動物を抑えやすいよう、抑える部位の形状に合わせて甲カバー３の親指側の側方に円弧状の凹部が形成されている。
【００１７】
また、甲カバー３の基端部分は手首カバー２の先端部分と重ね合わされた状態となっており、この例では甲カバー３が手首カバー２の外側に配置されているが、この逆の配置でも良い。
さらに、甲カバー３の基端部分の外縁部は、先端側に向けて円弧状に凹んだ形状となっており、手首カバー２に対して甲カバー３が容易に可動できるようになっている。
【００１８】
さらに、甲カバー３と手首カバー２との重ね合わせ部分には、両者を可動可能な取付状態とする第１の連結具３１が設けられており、この例ではゴム紐が用いられている。すなわち、手首カバー２と甲カバー３の重ね合わせ部分に両者を貫通する２ヶの貫通孔を形成し、これら貫通孔にゴム紐を通して結び止めた形態となっている。
【００１９】
また、甲カバー３のほぼ中央部には、この甲カバー３を中指に装着するための第２の装着具３２が設けられている。この例の装着具３２は、やや太めの輪ゴムが用いられ、甲カバー３に貫通孔を形成し、この貫通孔に輪ゴムを通して結び目をつくって止め付けたものである。甲カバー３は、内側にある輪ゴム（装着具３２）に中指を通して装着することができる。
【００２０】
甲カバー３の装着は、上述の中指に限られることはなく、人差し指から小指までの少なくとも１つの指、例えば人差し指から小指のいずれかであっても良く、また人差し指から小指までの全体で装着するようにしてもよい。そのような場合には、第２の装着具３２の形態を適宜これらに合致するように変更すればよい。
また、甲カバー３をなす材料は、先に説明した手首カバー２で例示したものと同様である。
【００２１】
また、手首カバー２の先端側部分の側方には、親指カバー４が可動可能に取り付けられている。
この親指カバー４は、手首の一部から親指の指先までを完全に覆うもので、その断面形状が角度１２０〜１５０度の円弧状となっており、指先部分の平面形状は円弧状となっており、手首カバー２側に端部の平面形状は直線状となっている。
【００２２】
また、親指カバー４の基端部分は手首カバー２の先端部分と重ね合わされた状態となっており、この例では親指カバー４が手首カバー２の外側に配置されている。また、親指カバー４は、その側方において甲カバー３の一部と重なり合っている。
さらに、親指カバー４と手首カバー２との重ね合わせ部分には、両者を可動可能な取付状態とする第２の連結４１が設けられており、この例では輪ゴムが用いられている。すなわち、手首カバー２と親指カバー４の重ね合わせ部分に両者を貫通する貫通孔を形成し、この貫通孔に輪ゴムを通して結び止めた形態となっている。
【００２３】
また、親指カバー４のほぼ中央部には、この親指カバー４を親指に装着するための第３の装着具４２が設けられている。この例の装着具４２は、やや太めの輪ゴムが用いられ、親指カバー４に貫通孔を形成し、この貫通孔に輪ゴムを通して結び目をつくって止め付けたものである。親指カバー４は、内側にある輪ゴム（装着具４２）に親指を通して装着することができる。
また、親指カバー４をなす材料は、先に説明した手首カバー２で例示したものと同様である。
【００２４】
このハンドプロテクター１を手に装着するには、着用者の手首を手首カバー２で覆うように配し、装着具２１により手首カバー２を腕の手首近傍に固定する。また、手の中指を甲カバー３の装着具３２に、親指を親指カバー４の装着具４２に通して装着する。
これにより、着用者の手首の肘よりの部分から手の指先までの手の外側部分が完全に覆われるとともに手のひらや指先の内側の部分は露出した状態のままとなる。
【００２５】
このようなハンドプロテクター１にあっては、手首カバー２、甲カバー３および親指カバー４が相互に可動可能に取り付けられているため、これを手に装着しても、手の甲および各指を自由に動かすことができる。このため、このハンドプロテクター１を手に装着しても実験動物や患畜を取り押さえることが不自由になることはない。
【００２６】
また、ハンドプロテクター１の各カバー２、３、４が硬質の合成樹脂板あるいは金属板から作られ、かつ各カバー２、３、４が相互に重なり合い、手首、手を完全に覆うことができるようになっているので、実験動物や患畜に対して注射や手術などの処置を行う際に、動物が暴れて、誤って注射針やメスなどが手に突き刺さる事故や動物による噛みつき事故を防止することができる。
【００２７】
また、手のひらは露出した状態であるので、注射器などの機材を掴む際に直接これらを掴むことが不自由なく確実に行え、従来の手袋のように触感が鈍ることがない。
さらに、構造が簡単で、安価な材料を用いて作成することができるため、安価に提供することができる。
このため、このハンドプロテクターは、医薬研究機関、動物病院などの動物を扱う部門で使用することができる。また、これ以外の手の保護が必要な業務にも使用することもできる。
【００２８】
また、本発明のハンドプロテクターでは、例えば、甲カバー３を２つの部分（先端カバーと基端カバー）に分割し、これらを中手指関節付近で可動可能に連結したものとしてもよい。この先端カバーと基端カバーとの連結形態は先に説明した手首カバー２と甲カバー３などの連結形態と同様である。
この形態のハンドプロテクターでは、手の指の動きがさらに自由となる。
【００２９】
なお、上記説明における各連結具および各装着具にあっては、ゴムバンド、輪ゴム以外の弾性変形可能な材料を用いることができる。
【図面の簡単な説明】
【００３０】
【図１】本発明のハンドプロテクターの一例を示す斜視図である。
【図２】本発明のハンドプロテクターの一例を示す上面図である。
【図３】本発明のハンドプロテクターの一例を示す後面図である。
【図４】本発明のハンドプロテクターの一例を示す側面図である。
【図５】本発明のハンドプロテクターの一例を示す前面図である。
【符号の説明】
【００３１】
１・・・ハンドプロテクター、２・・・手首カバー、３・・・甲カバー、４・・・親指カバー
【図１】
2006028647.tif 000003
【図２】
2006028647.tif 000004
【図３】
2006028647.tif 000005
【図４】
2006028647.tif 000006
【図５】
2006028647.tif 000007